(57)【要約】【課題】    靴の中底の先端近傍部及び／又は踵部に使用する衝撃緩和シート部材を形成するための靴の衝撃緩和用弾性シート材を提供すること。【解決手段】    衝撃緩和機能を有する衝撃緩和シート部材２０は、シリコンゴム等の弾性力を有する素材により形成され、表面に断面半球形状の半球突起と各半球突起が接合して形成される谷部に通気孔を設けたものである。衝撃緩和シート部材２０は、シート状成型品とした衝撃緩和用弾性シート材から任意の形状に切り抜き形成したものであり、１枚又は複数枚を中敷３０に装着して使用するか又は靴の中底に直接張り付けて使用する。衝撃緩和シート部材２０は、使用枚数を選択することにより、ファッション性を損なうことなく衝撃緩和機能を奏させることができる。【選択図】    図３
2006345886.tif 000002
【特許請求の範囲】
【請求項１】
衝撃緩和機能を有する素材により形成された衝撃緩和用弾性シート材が、シート基板（１０）の表面に断面半球形状の半球突起（１１）を隙間なく形成するとともに、該各半球突起が接合して形成される谷部に通気孔（１２）を設けてシート状成型品としたものであって、適宜形状に切り抜いて靴の中底の先端近傍部及び／又は踵部に使用する衝撃緩和シート部材（２０）を形成することを特徴とする靴の衝撃緩和用弾性シート材。
【請求項２】
衝撃緩和シート部材（２０）が、中敷の先端近傍部及び／又は踵部に装着して使用されることを特徴とする請求項１に記載の靴の衝撃緩和用弾性シート材。
【請求項３】
衝撃緩和シート部材（２０）が、靴の中底の先端近傍部及び／又は踵部に直接張り付けて使用されることを特徴とする請求項１に記載の靴の衝撃緩和用弾性シート材。
【請求項４】
衝撃緩和シート部材（２０）が、靴の中底の先端近傍部及び／又は踵部に１枚又は複数枚が使用されることを特徴とする請求項１から３のいずれかに記載の靴の衝撃緩和用弾性シート材。
【請求項５】
衝撃緩和用弾性シート材（１）が、衝撃緩和機能を有する素材により形成されており、シート基板（１０）の表面に断面半球形状の半球突起（１１）を隙間なく形成するとともに、該各半球突起が接合して形成される谷部に通気孔（１２）を設けてシート状成型品としたものであって、該衝撃緩和用弾性シート材から適宜形状に切抜き形成して靴の中底の先端近傍部及び／又は踵部に１枚又は複数枚を使用することを特徴とする靴の衝撃緩和シート部材。
【発明の詳細な説明】
【技術分野】
【０００１】
本発明は、靴の衝撃緩和用弾性シート材に関するものであり、さらに詳しくは、中敷に装着して使用し又は靴の中底に直接張り付けて使用することにより、衝撃緩和機能と通気性機能の両機能を奏する靴の衝撃緩和用弾性シート材に関している。
【背景技術】
【０００２】
本願発明者は、衝撃吸収機能及び通気性機能の両機能を備えた靴を下記の特許文献１によって提案している。
【特許文献１】特許第３０１１４０８号公報
【０００３】
特許文献１に記載された靴（以下、「先願の靴」という。）は、靴の底部１１に、靴の内側に向って開口する凹窪１３を設け、該凹窪１３内に、衝撃吸収性能と通気性能を有する弾性体１４を嵌合したものであって、当該弾性体１４が、弾力があり表面に複数の空気流通孔１８を形成したケース１６内に弾力性を有する球粒１７を隙間なくかつ複数層敷設したものであることを特徴としている。また、凹窪１３は、底部１１の先端部及び踵部に設けられたことを特徴としており、球粒１７は、弾力性を有するゴム製の球体であることを特徴としている。なお、球粒１７は、実施態様として、直径５ミリメートル、硬度４０のゴム製球体を使用することが提案されている。
【０００４】
先願の靴は、弾力性を有する球粒を隙間なく複数層に敷設して形成した弾性体を靴底の先端部及び踵部に設けたものであるから、歩行時の衝撃を弾性体が吸収する衝撃吸収性能を奏するものであり、同時に、球粒を収容したケースに空気流通孔を設けたことにより、弾性体の圧縮及び復元によって通気作用を促進させる通気性能を奏することができるものとなっている。
【０００５】
しかし、先願の靴は、靴底の先端部及び踵部に弾性体を埋め込む構造であったから、弾性体を構成するために数多くの球粒を必要としていた。また、先願の靴は、球粒を複数層敷設して弾性体を構成しているが、スニーカーやウォーキングシューズに限らず、通勤等に使用するビジネスシューズにも適用できることを目的としたものであって、機能性を重視したあまり弾性体が厚くなってしまい、中敷に埋め込んだ場合には、中敷が厚くなりファッション性に欠けるきらいがあった。この他、先願の靴は、上記弾性体が球粒を隙間なくかつ複数層敷設したものではあるが、使用中に球粒が移動することがあったので、必ずしも使い勝手がよいと言えるものではなかった。
【０００６】
このため、先願の靴は、中敷を使用しない靴並びにファッション性が要求される女性用シューズには適合し難いと言った問題があった。
【０００７】
衝撃緩和機能を備えた靴は、スニーカー又はウォーキングシューズに限らず、ビジネスシューズにおいても要求されており、また、女性用シューズは中敷を使用しないことが多いが、パンプスをはじめミュール又はサンダル等においても、ファッション性を損なわない範囲で衝撃緩和機能を有するものが要望されている。
【発明の開示】
【発明が解決しようとする課題】
【０００８】
本発明の課題は、靴の中底の先端近傍部及び／又は踵部に使用する衝撃緩和シート部材を形成するための靴の衝撃緩和用弾性シート材を提供することである。
【課題を解決するための手段】
【０００９】
解決手段の第１は、衝撃緩和機能を有する素材により形成された衝撃緩和用弾性シート材が、シート基板の表面に断面半球形状の半球突起を隙間なく形成するとともに、該各半球突起が接合して形成される谷部に通気孔を設けてシート状成型品としたものであって、適宜形状に切り抜いて靴の中底の先端近傍部及び／又は踵部に使用する衝撃緩和シート部材を形成することを特徴とするものである。
【００１０】
解決手段の第２は、解決手段の第１において、衝撃緩和シート部材が、中敷の先端近傍部及び／又は踵部に装着して使用されることを特徴とするものである。
【００１１】
解決手段の第３は、解決手段の第１において、衝撃緩和シート部材が、靴の中底の先端近傍部及び／又は踵部に直接張り付けて使用されることを特徴とするものである。
【００１２】
解決手段の第４は、解決手段の第１から第３のいずれかにおいて、衝撃緩和シート部材が、靴の中底の先端近傍部及び／又は踵部に１枚又は複数枚が使用されることを特徴とする。
【００１３】
解決手段の第５は、衝撃緩和用弾性シート材が、衝撃緩和機能を有する素材により形成されており、シート基板の表面に断面半球形状の半球突起を隙間なく形成するとともに、該各半球突起が接合して形成される谷部に通気孔を設けてシート状成型品としたものであって、該衝撃緩和用弾性シート材から適宜形状に切抜き形成して靴底の先端近傍部及び／又は踵部に１枚又は複数枚を使用することを特徴とするものである。
【発明の効果】
【００１４】
請求項１は、衝撃緩和用弾性シート材が衝撃緩和機能を有する素材からシート状成型品に形成したものであるから、適宜形状に切抜き形成した衝撃緩和シート部材を、中敷に埋め込み又は靴の中底に直接張り付けて使用したときに、衝撃緩和機能及び通気性機能の両機能を奏するので、靴を長時間連続して履いても疲れることがないだけでなく、靴内の蒸れを改善できることの効果を有している。
【００１５】
また、請求項１は、衝撃緩和用弾性シート材から適宜形状に切抜き形成するものであるから、当該衝撃緩和シート部材を靴の大きさ又は種類に応じて任意の形状に形成することができる効果がある。
【００１６】
さらに、請求項１は、衝撃緩和シート部材が、靴の中底表面を被覆した中底用シートと中底との間に直接張り付けた場合は、ファッション性を損なわずに衝撃緩和機能を発揮させることができる効果がある。
【００１７】
請求項２は、衝撃緩和機能を有する中敷が得られることの効果がある他、衝撃緩和シート部材の使用枚数を選択することにより、衝撃緩和機能と通気性機能を有する中敷を得ることができる効果がある。
【００１８】
請求項３は、衝撃緩和シート部材の使用枚数を選択することにより、ファッション性を損なわずに衝撃緩和機能を有する靴が得られるので、特に、女性用シューズであるパンプス、ミューズ又はサンダル等にも適用できる効果がある。
【００１９】
請求項４は、衝撃緩和シート部材が１枚又は複数枚を使用するものであるから、靴の種類によって使用枚数を選択することができ、ファッション性を損なわずに衝撃緩和機能を発揮させることができる効果がある。
【００２０】
請求項５は、衝撃緩和シート部材が、衝撃緩和機能を有する衝撃緩和用弾性シート材から適宜形状に切抜き形成されているから、中敷に埋め込んで使用し又は靴の中底に直接張り付けて使用することができる効果がある。
【発明を実施するための最良の形態】
【００２１】
図１は本発明の衝撃緩和用弾性シート材を示しており、（Ａ）は表側からみた全体の斜視図、（Ｂ）は裏側からみた全体の斜視図、図２は衝撃緩和用弾性シート材の一部拡大図であり、（Ａ）は平面図、（Ｂ）はｂ−ｂ断面図、（Ｃ）はｃ−ｃ断面図、図３は本発明の衝撃緩和シート部材を靴の中敷に使用した図であり、（Ａ）は斜視図、（Ｂ）は断面図、図４は本発明の衝撃緩和シート部材を靴の中敷に装着してビジネスシューズに使用した状態を示す断面図、図５は本発明の衝撃緩和シート部材を女性用パンプスの靴の中底に直接張り付けて使用した状態を示す斜視図である。
【００２２】
図１，図２において、衝撃緩和用弾性シート材１は、シリコンゴム等の衝撃緩和機能を有する素材により形成されたものであって、シート基板１０の表面に断面半球形状の半球突起１１を隙間なく形成するとともに、該各半球突起１１が接合して形成される谷部に通気孔１２を設けてシート状成型品としたものである。
【００２３】
図３において、２０は衝撃緩和シート部材を示しており、上記衝撃緩和用弾性シート材１から適宜形状に切抜き形成したものであって、中敷３０に埋め込んで使用し又は靴の中底に直接張り付けて使用することにより、衝撃緩和機能と通気性機能の両機能を奏させるものである。なお、上記衝撃緩和シート部材２０は、足裏の先端近傍部及び／又は踵部に使用するものであり、その形状は、足裏の先端近傍に使用する場合は長円形に形成し、踵部分に使用する場合は円形に形成するが、切抜き形状が任意であることは勿論である。
【００２４】
中敷３０は、ウレタン等により形成されたものであり、先端近傍部及び／又は踵部に凹穴３１，３２を形成し、該凹穴３１，３２内に１枚又は複数枚の衝撃緩和シート部材２０を装着してなるものである。また、衝撃緩和シート部材２０を中敷３０の凹穴３１，３２に装着するときは、半球突起１１を設けた面又はシート基板１０の裏面のいずれの面を表側に現わしてもよいが、実施形態では、半球突起１１を設けた面が表面に現れるようにしている。
【００２５】
図４は、中敷３０を靴４０に使用した状態を示しており、中敷３０は、衝撃緩和シート部材２０の装着面を靴底に向けるか又は装着面を靴の内部に向けて使用する。実施形態では、３枚の衝撃緩和シート部材２０を装着面が靴底に向くようにして使用しており、当該衝撃緩和シート部材２０は、衝撃緩和機能と通気性機能の両機能を奏するものである。なお、靴４０は、ビジネスシューズ又はカジュアルシューズ等である。
【００２６】
図５は、衝撃緩和シート部材２０を女性用パンプス５０に使用した状態を示しており、衝撃緩和シート部材２０は、靴の中底表面を被覆した中底用シート（図示しない）の内側と靴の中底との間に直接張り付けたものであり、この場合は、ファッション性が損なわれないようにするために、当該衝撃緩和シート部材２０は１枚のみを使用している。なお、衝撃緩和シート部材２０は、ミューズ又はサンダル等にも使用できるものである。
【００２７】
実施形態において、衝撃緩和用弾性シート材１は、シリコンゴムで形成され、シート基板１０の厚み０．５〜１．０ｍｍ、半球突起１１の直径５，０ｍｍ、高さ１．５〜２．５ｍｍ、また、通気孔１２の直径１．０ｍｍである。したがって、衝撃緩和用弾性シート材１は、全体の厚みが２．０〜３．５ｍｍとなっている。
【００２８】
衝撃緩和シート部材２０は、靴を履いたときに体重が最もかかる先端近傍部（爪先部分と土踏まずの間）及び／又は踵部に１枚又は複数枚を使用するものであり、歩行中の衝撃を緩和し同時に通気作用を促進する。すなわち、歩行中、着地時に衝撃緩和シート部材２０が圧縮されることで衝撃力が緩和される。また、衝撃緩和シート部材２０が圧縮変形された後の復元力によって通気孔１２から空気が出入するので、靴内の通気作用を促進し靴内が蒸れるのを改善する。
【００２９】
実施形態では、衝撃緩和シート部材２０を、中敷３０に対し３枚重ねに装着しているので、衝撃緩和機能と通気性機能の両機能が促進されるが、１枚のみの使用であっても、これらの機能を奏するものである。
【００３０】
衝撃緩和シート部材２０は、半球突起１１がシート基板１０に一体成型されてシート状成型品に形成されたものであるから、衝撃緩和シート部材２０が圧縮されたときでも、半球突起１１が移動したりすることがないので、使用中の不快感が全くないものである。
【００３１】
また、衝撃緩和シート部材２０は、衝撃緩和用弾性シート材１から切抜き形成したものであるから、靴の大きさ又は種類に応じて任意の形状に形成できるだけでなく、衝撃緩和弾性シート材１を、シート状成型品として提供できるので、従来技術において、ゴム製球粒を複数層に敷設して衝撃吸収部材としての弾性体を得ていたものに比べ製造コストが低減され経済的になっている。
【００３２】
この他、衝撃緩和シート部材２０は、中敷３０に装着して使用するときは１枚又は複数枚を使用し、ファッション性を重要視する女性用シューズに使用するときは１枚のみを使用するなど、使用する靴の種類に合わせて１枚から複数枚を選択できるので、あらゆる種類の靴に適合できるものとなっている。
【図面の簡単な説明】
【００３３】
【図１】本発明に係る衝撃緩和用弾性シート材を示しており、（Ａ）は表側からみた全体の斜視図、（Ｂ）は裏側からみた全体の斜視図。
【図２】衝撃緩和用弾性シート材の一部拡大図であり、（Ａ）は平面図、（Ｂ）はｂ−ｂ断面図、（Ｃ）はｃ−ｃ断面図。
【図３】本発明の衝撃緩和シート部材を中敷に使用した図であり、（Ａ）は全体の斜視図、（Ｂ）は断面図。
【図４】本発明の衝撃緩和シート部材を中敷に装着してビジネスシューズに使用した状態を示す断面図。
【図５】本発明の衝撃緩和シート部材を女性用パンプスの靴の中底に直接張り付けて使用した状態を示す斜視図。
【符号の説明】
【００３４】
１  衝撃緩和用弾性シート材
１０  シート基板
１１  半球突起
１２  通気孔
２０  衝撃緩和シート部材
３０  中敷
３１，３２  凹穴
４０  靴
５０  女性用パンプス
【図１】
2006345886.tif 000003
【図２】
2006345886.tif 000004
【図３】
2006345886.tif 000005
【図４】
2006345886.tif 000006
【図５】
2006345886.tif 000007